(57)【要約】【課題】クリアトナー版データの生成に係る処理負荷を軽減する。【解決手段】抽出部５６Ｉは、変換テーブル生成部第１光沢制御版データにおける、不使用の光沢制御値を抽出する。変換テーブル生成部５６Ｃは、抽出した光沢制御値に対応する特色濃度値を定めた変換テーブルを生成する。第２表面効果変換テーブル生成部５６Ｄは、変換テーブルにおける特色濃度値によって特定される特色画像に応じた規定内容を、変換テーブルにおける光沢制御値に対応づけて第１表面効果変換テーブルに登録し、第２表面効果変換テーブルを生成する。第２光沢制御版データ生成部５６Ｅは、クリア版データにおける特色濃度値を、変換テーブルにおける対応する光沢制御値に変換した第２光沢制御版データを生成する。クリアトナー版生成部５６Ｇは、第２表面効果変換テーブルおよび第３光沢制御版データに基づいて、クリアトナー版データを生成する。【選択図】図１１
2016042182.tif 000002
【特許請求の範囲】
【請求項１】
記録媒体に対する視覚的または触覚的な効果である表面効果の種類と前記表面効果を付与する記録媒体における領域とを特定するための光沢制御値を定めた第１光沢制御版データと、前記表面効果以外の特色画像を特定する特色濃度値を定めたクリア版データと、を取得する取得部と、
前記光沢制御値と、前記表面効果の種類と、クリアトナー版データに基づいて記録媒体に特色トナーを付与する実行部で用いる前記クリアトナー版データの規定内容と、を対応づけた第１表面効果変換テーブルを記憶する記憶部と、
前記第１光沢制御版データにおける不使用の前記光沢制御値を抽出する抽出部と、
抽出した前記光沢制御値に対応する前記特色濃度値を定めた変換テーブルを生成する変換テーブル生成部と、
前記変換テーブルにおける前記特色濃度値によって特定される前記特色画像に応じた規定内容を、前記変換テーブルにおける前記光沢制御値に対応づけて前記第１表面効果変換テーブルに登録した第２表面効果変換テーブルを生成する第２表面効果変換テーブル生成部と、
前記クリア版データにおける前記特色濃度値を、前記変換テーブルにおける対応する前記光沢制御値に変換した第２光沢制御版データを生成する第２光沢制御版データ生成部と、
前記第１光沢制御版データと前記第２光沢制御版データとを統合した第３光沢制御版データを生成する統合部と、
前記第２表面効果変換テーブルおよび前記第３光沢制御版データに基づいて、前記クリアトナー版データを生成するクリアトナー版生成部と、
を備えた画像処理装置。
【請求項２】
前記変換テーブル生成部は、
抽出した前記光沢制御値の制御値数を算出する算出部と、
前記クリア版データによって規定される前記特色濃度値から、前記制御値数の特色濃度代表値を決定する決定部と、
前記制御値数の前記光沢制御値の各々に、決定した前記特色濃度代表値の各々を前記特色濃度値として対応づけた、前記変換テーブルを生成する変換テーブル生成部と、
を有する、請求項１に記載の画像処理装置。
【請求項３】
前記抽出部は、
前記第１光沢制御版データにおける不使用の前記光沢制御値と、前記第１表面効果変換テーブルにおける前記表面効果の種類および前記規定内容の対応づけられていない前記光沢制御値と、を抽出する、
請求項１または請求項２に記載の画像処理装置。
【請求項４】
前記決定部は、
前記クリア版データにおける、各画素の前記特色濃度値の出現頻度を示す頻度分布に予め定めた特徴がある場合、前記クリア版データによって規定される前記特色濃度値の内、前記出現頻度の高い順に前記制御値数の前記特色濃度値を、前記特色濃度代表値として決定する、
請求項２または請求項３に記載の画像処理装置。
【請求項５】
前記第２表面効果変換テーブル生成部は、
前記変換テーブルにおける前記特色濃度値の網点画像を示す情報を前記規定内容として、前記変換テーブルにおける前記光沢制御値に対応づけて前記第１表面効果変換テーブルに登録した、前記第２表面効果変換テーブルを生成する、請求項４に記載の画像処理装置。
【請求項６】
前記決定部は、
前記クリア版データにおける、前記頻度分布に前記特徴が無い場合、前記クリア版データによって規定される前記特色濃度値を、０以上前記制御値数以下の範囲に量子化し、量子化後の前記特色濃度値を前記特色濃度代表値として決定する、
請求項４に記載の画像処理装置。
【請求項７】
前記第２表面効果変換テーブル生成部は、
前記変換テーブルにおける、量子化前の前記特色濃度値の網点画像を示す情報を前記規定内容として、前記変換テーブルにおける前記光沢制御値に対応づけて前記第１表面効果変換テーブルに登録した、前記第２表面効果変換テーブルを生成する、請求項６に記載の画像処理装置。
【請求項８】
前記記憶部は、前記第１表面効果変換テーブルと、前記変換テーブル、前記第２表面効果変換テーブル、前記第２光沢制御版データ、および前記クリアトナー版データ、の少なくとも１つと、を記憶する、請求項１〜請求項７の何れか１項に記載の画像処理装置。
【請求項９】
記録媒体に対する視覚的または触覚的な効果である表面効果の種類と前記表面効果を付与する記録媒体における領域とを特定するための光沢制御値を定めた第１光沢制御版データと、前記表面効果以外の特色画像を特定する特色濃度値を定めたクリア版データと、を取得するステップと、
前記第１光沢制御版データにおける不使用の前記光沢制御値を抽出するステップと、
抽出した前記光沢制御値に対応する前記特色濃度値を定めた変換テーブルを生成するステップと、
前記光沢制御値と、前記表面効果の種類と、クリアトナー版データに基づいて記録媒体に特色トナーを付与する実行部で用いる前記クリアトナー版データの規定内容と、を対応づけた第１表面効果変換テーブルを記憶し、前記変換テーブルにおける前記特色濃度値によって特定される前記特色画像に応じた規定内容を、前記変換テーブルにおける前記光沢制御値に対応づけて前記第１表面効果変換テーブルに登録した第２表面効果変換テーブルを生成するステップと、
前記クリア版データにおける前記特色濃度値を、前記変換テーブルにおける対応する前記光沢制御値に変換した第２光沢制御版データを生成するステップと、
前記第１光沢制御版データと前記第２光沢制御版データとを統合した第３光沢制御版データを生成するステップと、
前記第２表面効果変換テーブルおよび前記第３光沢制御版データに基づいて、前記クリアトナー版データを生成するステップと、
を含む画像処理方法。
【請求項１０】
クリアトナー版データに基づいて記録媒体に特色トナーを付与する実行部と、
記録媒体に対する視覚的または触覚的な効果である表面効果の種類と前記表面効果を付与する記録媒体における領域とを特定するための光沢制御値を定めた第１光沢制御版データと、前記表面効果以外の特色画像を特定する特色濃度値を定めたクリア版データと、を取得する取得部と、
前記光沢制御値と、前記表面効果の種類と、前記実行部で用いる前記クリアトナー版データの規定内容と、を対応づけた第１表面効果変換テーブルを記憶する記憶部と、
前記第１光沢制御版データにおける不使用の前記光沢制御値を抽出するステップと、
抽出した前記光沢制御値に対応する前記特色濃度値を定めた変換テーブルを生成する変換テーブル生成部と、
前記変換テーブルにおける前記特色濃度値によって特定される前記特色画像に応じた規定内容を、前記変換テーブルにおける前記光沢制御値に対応づけて前記第１表面効果変換テーブルに登録した第２表面効果変換テーブルを生成する第２表面効果変換テーブル生成部と、
前記クリア版データにおける前記特色濃度値を、前記変換テーブルにおける対応する前記光沢制御値に変換した第２光沢制御版データを生成する第２光沢制御版データ生成部と、
前記第１光沢制御版データと前記第２光沢制御版データとを統合した第３光沢制御版データを生成する統合部と、
前記第２表面効果変換テーブルおよび前記第３光沢制御版データに基づいて、前記クリアトナー版データを生成するクリアトナー版生成部と、
を備えた画像処理システム。
【発明の詳細な説明】
【技術分野】
【０００１】
本発明は、画像処理装置、画像処理方法、および画像処理システムに関する。
【背景技術】
【０００２】
ＣＭＹＫ等の有色トナーの他に、有色トナー以外の特色トナーを用いて画像を形成する装置が知られている。また、特色トナーを用いて、記録媒体に光沢等の表面効果を与える技術が知られている（例えば、特許文献１参照）。
【０００３】
特許文献１には、表面効果の種類と表面効果を付与する領域とを指定した光沢制御版デーと、透明画像を形成するためのクリア版データとを用いて、印刷装置で用いるクリアトナー版データを生成することが開示されている。
【発明の概要】
【発明が解決しようとする課題】
【０００４】
しかしながら、従来では、クリアトナー版データの生成時には、光沢制御版データとクリア版データの２種類の版（データ）を処理する必要があった。このため、従来では、クリアトナー版データの生成時に、メモリの圧迫や処理速度の低下が発生していた。また、ユーザの操作によって、クリアトナー版データと光沢制御版データとを統合すると、ユーザに負荷がかかっていた。従って、従来では、クリアトナー版データの生成に処理負荷がかかっていた。
【課題を解決するための手段】
【０００５】
上述した課題を解決し、目的を達成するために、画像処理装置は、記録媒体に対する視覚的または触覚的な効果である表面効果の種類と前記表面効果を付与する記録媒体における領域とを特定するための光沢制御値を定めた第１光沢制御版データと、前記表面効果以外の特色画像を特定する特色濃度値を定めたクリア版データと、を取得する取得部と、前記光沢制御値と、前記表面効果の種類と、クリアトナー版データに基づいて記録媒体に特色トナーを付与する実行部で用いる前記クリアトナー版データの規定内容と、を対応づけた第１表面効果変換テーブルを記憶する記憶部と、前記第１光沢制御版データにおける不使用の前記光沢制御値を抽出する抽出部と、抽出した前記光沢制御値に対応する前記特色濃度値を定めた変換テーブルを生成する変換テーブル生成部と、前記変換テーブルにおける前記特色濃度値によって特定される前記特色画像に応じた規定内容を、前記変換テーブルにおける前記光沢制御値に対応づけて前記第１表面効果変換テーブルに登録した第２表面効果変換テーブルを生成する第２表面効果変換テーブル生成部と、前記クリア版データにおける前記特色濃度値を、前記変換テーブルにおける対応する前記光沢制御値に変換した第２光沢制御版データを生成する第２光沢制御版データ生成部と、前記第１光沢制御版データと前記第２光沢制御版データとを統合した第３光沢制御版データを生成する統合部と、前記第２表面効果変換テーブルおよび前記第３光沢制御版データに基づいて、前記クリアトナー版データを生成するクリアトナー版生成部と、を備える。
【発明の効果】
【０００６】
本発明によれば、クリアトナー版データの生成に係る処理負荷を軽減することができる、という効果を奏する。
【図面の簡単な説明】
【０００７】
【図１】図１は、画像処理システムの構成を例示する図である。
【図２】図２は、有色版データの一例を示す説明図である。
【図３】図３は、表面効果の種類の一例を示す図である。
【図４】図４は、第１光沢制御版データの一例を示す説明図である。
【図５】図５は、クリア版データの一例を示す説明図である。
【図６】図６は、濃度値選択テーブルの一例を示す図である。
【図７】図７は、描画オブジェクト、座標、濃度値との対応関係を示す図である。
【図８】図８は、印刷データの構成例を概念的に示す模式図である。
【図９】図９は、ＤＦＥの機能的構成を示すブロック図である。
【図１０】図１０は、ＭＩＣと印刷装置とを示す模式図である。
【図１１】図１１は、クリアプロセッシングの機能ブロック図である。
【図１２】図１２は、第１表面効果変換テーブルのデータ形式の一例を示す図である。
【図１３】図１３は、特色濃度代表値の決定の説明図である。
【図１４】図１４は、変換テーブルのデータ構造の一例を示す図である。
【図１５】図１５は、第２表面効果変換テーブルの一例を示す図である。
【図１６】図１６は、ＤＦＥが実行する画像処理の手順を示すフローチャートである。
【図１７】図１７は、クリアプロセッシングが実行する画像処理（クリアトナー版生成処理）の手順を示すフローチャートである。
【図１８】図１８は、変形例の画像処理システムの一例を示す模式図である。
【図１９】図１９は、画像処理システムの構成を例示する図である。
【図２０】図２０は、サーバ装置の機能的構成を示すブロック図である。
【図２１】図２１は、ＤＦＥの機能ブロック図である。
【図２２】図２２は、画像処理の全体の流れを示すシーケンス図である。
【図２３】図２３は、ネットワーク構成図である。
【図２４】図２４は、ハードウェア構成図である。
【発明を実施するための形態】
【０００８】
以下に添付図面を参照して、画像処理装置、画像処理方法、および画像処理システムの実施の形態を詳細に説明する。
【０００９】
（実施の形態１）
まず、実施の形態１に係る画像処理システムの構成を説明する。
【００１０】
図１は、本実施の形態の画像処理システムの構成の一例を示す図である。本実施の形態では、画像処理システムは画像処理装置（ＤＦＥ：Ｄｉｇｉｔａｌ  Ｆｒｏｎｔ  Ｅｎｄ）５０（以下、「ＤＦＥ５０」という。ＤＦＥ５０は、画像処理装置に相当する。）と、インタフェースコントローラ（ＭＩＣ：Ｍｅｃｈａｎｉｓｍ  Ｉ／Ｆ  Ｃｏｎｔｏｒｏｌｌｅｒ）６０（以下、「ＭＩＣ６０」という。）と、プリンタ機７０と、後処理機としてグロッサ８０及び低温定着機９０と、が接続されて構成される。
【００１１】
ＤＦＥ５０は、ＭＩＣ６０を介してプリンタ機７０と通信を行い、プリンタ機７０での画像の形成を制御する。
【００１２】
また、ＤＦＥ５０には、ＰＣ（Ｐｅｒｓｏｎａｌ  Ｃｏｍｐｕｔｅｒ）等のホスト装置１０が接続されている。ＤＦＥ５０は、ホスト装置１０から印刷データを受信し、出力データを生成して、これを、ＭＩＣ６０を介してプリンタ機７０に送信する。プリンタ機７０には、ＣＭＹＫの有色トナーと特色トナーとが少なくとも搭載されており、各トナーに対して感光体、帯電器、現像器及び感光体クリーナを含む作像ユニット、露光器及び定着機が各々搭載されている。プリンタ機７０は、受信した出力データに基づいて、ＣＭＹＫの有色トナー及び特色トナーに応じたトナー像を記録媒体に形成する。
【００１３】
なお、本実施の形態では、プリンタ機７０と、グロッサ８０および低温定着機９０と、によって印刷装置３０を構成している。なお、プリンタ機７０、および、低温定着機９０の少なくとも一方が、画像形成を実行する実行部に相当する。実行部は、特色トナーおよび有色トナーの少なくとも一方を記録媒体に付与することで、画像形成を実行する。本実施の形態では、印刷装置３０が、実行部に相当するものとして説明する。
【００１４】
ここで、特色トナーとは、記録媒体に表面効果を施したり、記録媒体に特色画像を形成したりするために用いるトナーである。特色トナーには、例えば、透明な（無色の）トナーや、白色トナーがある。なお、透明（無色）とは、例えば、透過率が７０％以上であることを示す。本実施の形態では、特色トナーとして、透明トナーを用いる場合を一例として説明する。しかし、特色トナーとして、白色トナーを用いた形態であってもよい。
【００１５】
プリンタ機７０は、ＭＩＣ６０を介してＤＦＥ５０から送信された画像データに応じて、露光器から光ビームを照射して各トナーに応じたトナー像を感光体上に形成する。そして、このトナー像を記録媒体に転写し、定着機によって所定の範囲内の温度（通常温度）での加熱及び加圧で定着させる。これによって記録媒体に画像が形成される。このようなプリンタ機７０の構成については周知であるため、詳細な説明は省略する。なお、記録媒体は、画像形成可能な媒体であればよい。記録媒体は、例えば、公知の紙媒体（用紙）、合成紙、ビニール紙などである。
【００１６】
グロッサ８０は、ＤＦＥ５０から指定されるオンオフ情報によりオン又はオフが制御される。グロッサ８０は、オンにされた場合に、プリンタ機７０により記録媒体に形成された画像を高温及び高圧で加圧し、その後、冷却して本体から画像が形成された記録媒体を剥離する。これにより記録媒体に形成された画像全体において所定以上のトナーが付着した各画素のトナーの総付着量は均一に圧縮される。
【００１７】
低温定着機９０には、特色トナー用の感光体、帯電器、現像器および感光体クリーナを含む作像ユニット、露光器及び特色トナーを定着させるための定着機が搭載されており、低温定着機９０を用いるためにＤＦＥ５０が生成した後述のクリアトナー版データが入力される。低温定着機９０で用いるクリアトナー版データをＤＦＥ５０が生成した場合には、低温定着機９０は、これを用いて特色トナーによるトナー像を形成し、グロッサ８０が加圧した記録媒体上に当該トナー像を重ねて、定着機によって通常よりも低い加熱または加圧で記録媒体に定着させる。
【００１８】
ここで、ホスト装置１０からＤＦＥ５０に出力される印刷データについて説明する。
【００１９】
ホスト装置１０は、予めインストールされた画像処理アプリケーションにより印刷データを生成し、ＤＦＥ５０に送信する。画像処理アプリケーションでは、ＲＧＢ版やＣＭＹＫ版などの各色版における各色の濃度値を画素毎に規定した画像データに対して、特色版の画像データを取り扱うことが可能である。特色版とは、ＣＭＹＫやＲＧＢなどの基本的なカラーの他に、白、金、銀といった特色トナーやインクを付着させるための画像データであり、このような特色トナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００２０】
本実施の形態では、この特色としての特色トナーを、記録媒体に付与する視覚的または触覚的な効果である表面効果を形成するため、および、記録媒体に特色画像を形成するために用いる。特色画像とは、特色トナーを記録媒体に付与することで実現する、上記表面効果以外の画像である。特色画像は、例えば、ウォータマークやテクスチャ等である。ウォータマークは、著作権表示のために用いる画像である。テクスチャは、例えば、網点画像である。
【００２１】
このため、ホスト装置１０の画像処理アプリケーションは、入力された画像データに対して、有色版データの他、ユーザの指定により、光沢制御版データおよびクリア版データを特色版の画像データとして生成する。
【００２２】
有色版データについて説明する。有色版データとは、画素毎にＲＧＢやＣＭＹＫ等の有色の濃度値を規定した画像データである。有色版データは、１画素を８ｂｉｔで表現する。これにより、有色版データは、ユーザによって指定された色および濃度を画素ごとに規定する。
【００２３】
図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００２４】
次に、光沢制御版データについて説明する。光沢制御版データは、記録媒体に対する視覚的または触覚的な効果である表面効果の種類と、表面効果を付与する記録媒体における領域と、を特定するための光沢制御値を定めたデータである。
【００２５】
なお、以下では、ＤＦＥ５０がホスト装置１０から受け付ける印刷データに含まれる光沢制御版データを、第１光沢制御版データと称して説明する。
【００２６】
第１光沢制御版データは、画素毎に８ｂｉｔで「０」〜「２５５」の範囲の光沢制御値で表され、この光沢制御値に、表面効果の種類が対応付けられる（なお、光沢制御値は、１６ビットや３２ビット、または０〜１００％で表してもよい）。また、同一の表面効果を与えたい範囲には実際に付着させる特色トナーの濃度と関係なく同一の値が設定される。このため、領域を示すデータがなくとも必要に応じて画像データから容易に領域が特定できる。即ち、第１光沢制御版データによって、表面効果の種類と、表面効果を与える効果領域とが表される。なお、第１光沢制御版データに、表面効果を付与する領域を表すデータを別途付与してもよい。
【００２７】
ホスト装置１０は、ユーザが画像処理アプリケーションにより指定した描画オブジェクトに対する表面効果の種類を、描画オブジェクトごとに光沢制御値として設定し、ベクター形式の第１光沢制御版データを生成する。
【００２８】
この第１光沢制御版データを構成する各画素は、有色版データの画素に対応する。なお、有色版データ及び第１光沢制御版データは共にページ単位で構成される。
【００２９】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００３０】
鏡面光沢やベタ光沢は、光沢を与える度合いが高く、逆に、網点マットやつや消しは、光沢を抑えるためのものである。特に、つや消しは、通常の記録媒体が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。
【００３１】
また、光沢度の偏差をΔＧｓで表し、１０以下とした。このような表面効果の各種類に対して、光沢を与える度合いが高い表面効果に高い光沢制御値が対応付けられ、光沢を抑える表面効果に低い光沢制御値が対応付けられる。その中間の光沢制御値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。
【００３２】
なお、処理対象の画像データによって表される画像のどの領域に表面効果を与えるのかや、その領域にどの種類の表面効果を与えるのか、については、画像処理アプリケーションを介してユーザにより指定される。画像処理アプリケーションを実行するホスト装置１０では、ユーザにより指定された領域を構成する描画オブジェクトについて、ユーザが指定した表面効果に対応する光沢制御値がセットされることにより、表面効果を付与する領域と、表面効果の種類と、を規定した第１光沢制御版データが生成される。光沢制御値と表面効果の種類との対応関係については後述する。
【００３３】
図４は、第１光沢制御版データの一例を示す説明図である。図４の第１光沢制御版データの例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された光沢制御値は、後述の濃度値選択テーブル（図６参照）で、表面効果の種類に対応して定められる。
【００３４】
次に、クリア版データについて説明する。クリア版データは、上記表面効果以外のウォータマークやテクスチャ等の特色画像を特定する特定濃度値を定めた画像データである。特色濃度値とは、特色トナーの付与量を示す情報であり、ウォータマークやテクスチャ等の特色画像の特定に用いる情報である。
【００３５】
図５は、クリア版データの一例を示す説明図である。図５の例では、ユーザにより、ウォータマーク「Ｓａｌｅ」が指定されている。また、このウォータマークの濃度値（特色トナーの付与量）に応じた特色濃度値が指定されている。
【００３６】
このように、第１光沢制御版データ、および、クリア版データは、ホスト装置１０の画像処理アプリケーションにより、有色版データとは別のプレーンで生成される。また、有色版データ、第１光沢制御版データ、および、クリア版データ、の各データ形式には、例えば、ＰＤＦ（Ｐｏｒｔａｂｌｅ  Ｄｏｃｕｍｅｎｔ  Ｆｏｒｍａｔ）形式が用いられ、各版のＰＤＦの画像データを統合した印刷データが生成される。なお、各版の画像データのデータ形式は、ＰＤＦに限定されるものではなく、任意の形式を用いることができる。
【００３７】
ここで、ホスト装置１０の画像処理アプリケーションは、ユーザが指定した表面効果の種類を光沢制御値に変換することで、第１光沢制御版データを生成する。この変換は、ホスト装置１０の記憶部に記憶された濃度値選択テーブルを参照して行われる。
【００３８】
濃度値選択テーブルは、表面効果の種類と、当該表面効果の種類に対応する第１光沢制御版データの光沢制御値とを対応付けたテーブルデータである。
【００３９】
図６は、濃度値選択テーブルの一例を示す図である。図６の例では、ユーザにより「ＰＧ」（鏡面光沢）が指定された領域に対応する光沢制御値は「９８％」に相当する画素値であり、「Ｇ」（ベタ光沢）が指定された領域に対応する光沢制御値は「９０％」に相当する画素値であり、「Ｍ」（網点マット）が指定された領域に対応する光沢制御値は「１６％」に相当する画素値であり、「ＰＭ」（つや消し）が指定された領域に対応する光沢制御値は「６％」に相当する画素値である。
【００４０】
この濃度値選択テーブルに格納されている表面効果の種類と光沢制御値との対応は、ＤＦＥ５０で記憶している第１表面効果変換テーブル（詳細後述）に記述されている、表面効果の種類と光沢制御値との対応と同じである。
【００４１】
ホスト装置１０の制御部が所定のタイミングで第１表面効果変換テーブルを印刷装置３０から取得して、取得した第１表面効果変換テーブルから、濃度値選択テーブルを生成して（コピーして）記憶部に保存する。ここで、図６では、濃度値選択テーブルの例を簡略化して示しているが、実際は、濃度値選択テーブルで規定されている表面効果の種類と光沢制御値との対応は、後述する第１表面効果変換テーブルで規定されている表面効果の種類と光沢制御値との対応と同一である。
【００４２】
なお、インターネット等のネットワーク上のストレージサーバ（クラウド）に、後述する第１表面効果変換テーブルを保存しておいてもよい。この場合、ホスト装置１０の制御部は、当該サーバから該第１表面効果変換テーブルを取得して、取得した第１表面効果変換テーブルから濃度値選択テーブル生成（コピー）すればよい。ただし、ＤＦＥ５０で記憶している第１表面効果変換テーブルと、ホスト装置１０の記憶部に保存された濃度値選択テーブルと、における表面効果の種類と光沢制御値との対応は、同じである必要がある。
【００４３】
ホスト装置１０の画像処理アプリケーションは、図６に示す濃度値選択テーブルを参照しながら、ユーザにより所定の表面効果が指定された描画オブジェクト（すなわち、表面効果を与える効果領域）に、指定された表面効果の種類に対応する光沢制御値を設定することで、第１光沢制御版データを生成する。例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の光沢制御値を「９８％」に相当する画素値に設定し、「Ｇ」が指定された描画オブジェクト（「長方形」）の光沢制御値を「９０％」に相当する画素値に設定し、「Ｍ」が指定された描画オブジェクト（「円形」）の光沢制御値を「１６％」に相当する画素値に設定することで、第１光沢制御版データを生成する。
【００４４】
ホスト装置１０で生成された第１光沢制御版データは、点の座標と、それを結ぶ線や面の方程式のパラメータ、および、塗り潰しや特色効果などを示す描画オブジェクトの集合として表現されるベクター形式のデータである。
【００４５】
図４は、第１光沢制御版データをイメージとして示した図であり、図７は、図４の第１光沢制御版データにおいて、描画オブジェクト、座標、濃度値との対応関係を示す図である。
【００４６】
そして、ホスト装置１０は、第１光沢制御版データと、有色版データと、クリア版データと、ジョブコマンドと、を含む印刷データを生成する。ジョブコマンドは、例えばプリンタの設定、集約の設定、両面の設定などをプリンタに対して指定するコマンドなどの各種情報を含む。
【００４７】
図８は、印刷データの構成例を概念的に示す模式図である。図８の例では、ジョブコマンドとして、ＪＤＦ（Ｊｏｂ  Ｄｅｆｉｎｉｔｉｏｎ  Ｆｏｒｍａｔ）が用いられているが、これに限られるものではない。図８示すＪＤＦは、集約の設定として「片面印刷・ステープル有り」を指定するコマンドである。また、印刷データは、ＰｏｓｔＳｃｒｉｐｔ（登録商標）のようなページ記述言語（ＰＤＬ）に変換されてもよいし、ＤＦＥ５０が対応していれば、ＰＤＦ形式のままでもよい。
【００４８】
次に、ＤＦＥ５０の機能的構成について説明する。図９は、ＤＦＥ５０の機能的構成を示すブロック図である。ＤＦＥ５０は、画像処理装置に相当する。
【００４９】
ＤＦＥ５０は、レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７と、を有する。
【００５０】
レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。
【００５１】
すなわち、レンダリングエンジン５１、ｓｉ１部５２、ＴＲＣ５３、ｓｉ２部５４、ハーフトーンエンジン５５、クリアプロセッシング５６、及びｓｉ３部５７の一部またはすべては、例えば、ＣＰＵ（Ｃｅｎｔｒａｌ  Ｐｒｏｃｅｓｓｉｎｇ  Ｕｎｉｔ）などの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００５２】
ｓｉ１部５２、ｓｉ２部５４及びｓｉ３部５７はいずれも、画像データを分離する（ｓｅｐａｔａｔｅ）機能と、画像データを統合する（ｉｎｔｅｇｒａｔｅ）機能とを有するものである。
【００５３】
レンダリングエンジン５１は、ホスト装置１０から送信された印刷データを受け付ける。レンダリングエンジン５１は、入力された印刷データに含まれる、第１光沢制御版データ、クリア版データ、有色版データの、各々について、ベクター形式をラスタ形式に変換する。また、レンダリングエンジン５１は、有色版データについては、ＲＧＢ形式等で表現された色空間をＣＭＹＫ形式の色空間に変換する。
【００５４】
これにより、レンダリングエンジン５１は、ＣＭＹＫの８ビットの有色版データ、８ビットのクリア版データ、及び８ビットの第１光沢制御版データを生成し、ｓｉ１部５２へ出力する。なお、ＣＭＹＫの８ビットの有色版データ、８ビットのクリア版データ、及び８ビットの第１光沢制御版データは、各画素の画素値を８ビットで表した画像データである。
【００５５】
すなわち、レンダリングエンジン５１は、画素ごとに特色濃度値を定めたクリア版データを生成する。また、レンダリングエンジン５１は、画素ごとに光沢制御値を定めた第１光沢制御版データを生成する。また、レンダリングエンジン５１は、画素ごとに濃度値を定めた有色版データを生成する。
【００５６】
このため、クリア版データは、画素毎に特色濃度値を定めたものとなる。また、第１光沢制御版データは、画素毎に光沢制御値を定めたものとなる。また、有色版データは、画素毎に濃度値を定めたものとなる。
【００５７】
ｓｉ１部５２は、ＣＭＹＫの８ビットの有色版データをＴＲＣ５３に出力する。また、ｓｉ１部５２は、８ビットの第１光沢制御版データと、８ビットのクリア版データと、をクリアプロセッシング５６に出力する。
【００５８】
ＴＲＣ５３は、ｓｉ１部５２からＣＭＹＫの８ビットの有色版データを受け付ける。ＴＲＣ５３は、ＣＭＹＫの８ビットの有色版データに対して、キャリブレーションにより生成された１Ｄ＿ＬＵＴのガンマカーブでガンマ補正などの画像処理を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００５９】
ｓｉ２部５４は、ＴＲＣ５３でガンマ補正されたＣＭＹＫの８ビットの有色版データを、インバースマスク（後述する）を生成するためのデータとしてクリアプロセッシング５６へ出力する。また、ｓｉ２部５４は、ガンマ補正されたＣＭＹＫの８ビットの有色版データをハーフトーンエンジン５５へ出力する。
【００６０】
ハーフトーンエンジン５５は、ｓｉ２部５４から、ガンマ補正後のＣＭＹＫの８ビットの有色版データを受け付ける。ハーフトーンエンジン５５は、受け付けたＣＭＹＫの８ビットの有色版データを、プリンタ機７０に出力するための有色版データに変換する。
【００６１】
例えば、ハーフトーンエンジン５５は、ガンマ補正後のＣＭＹＫの８ビットの有色版データについて、ハーフトーン処理を行い、各画素の画素値を２ビットで表した、ＣＭＹＫの２ビットの有色版データのデータ形式に変換する。なお、２ビットは一例であり、これに限定されるものではない。そして、ハーフトーンエンジン５５は、ＣＭＹＫの２ビットの有色版データをｓｉ３部５７へ出力する。
【００６２】
一方、クリアプロセッシング５６は、ｓｉ１部５２から、８ビットの第１光沢制御版のデータと、８ビットのクリア版データと、を受け付ける。また、クリアプロセッシング５６は、ｓｉ２部５４から、ガンマ補正されたＣＭＹＫの８ビットの有色版データを受け付ける。
【００６３】
クリアプロセッシング５６は、８ビットの第１光沢制御版のデータと、８ビットのクリア版データと、ガンマ補正されたＣＭＹＫの８ビットの有色版データと、を用いて、クリアトナー版データを生成する。クリアトナー版データは、印刷装置３０側において、特色トナーを付着させるためのデータである。クリアプロセッシング５６の詳細は後述する。また、クリアプロセッシング５６は、グロッサ８０に対するオンまたはオフを示すオンオフ情報も生成する。
【００６４】
そして、クリアプロセッシング５６は、生成した２ビットのクリアトナー版データと、グロッサ８０に対するオンオフ情報と、を、ｓｉ３部５７へ出力する。ｓｉ３部５７は、ハーフトーンエンジン５５から受け付けた、ＣＭＹＫの２ビットの有色版データと、クリアプロセッシング５６から受け付けた２ビットのクリアトナー版データと、グロッサ８０に対するオンオフ情報と、を含む出力データを、ＭＩＣ６０（図１参照）へ出力する。
【００６５】
図１に戻り、ＭＩＣ６０は、出力データを、印刷装置３０へ出力する。図１０は、ＭＩＣ６０と印刷装置３０とを示す模式図である。
【００６６】
ＭＩＣ６０は、受け付けた出力データに含まれる、有色版データ、クリアトナー版データ（実際には、プリンタ機７０用のクリアトナー版データ、低温定着機９０用のクリアトナー版データ）を、対応するプリンタ機７０、低温定着機９０に振り分ける。また、ＭＩＣ６０は、出力データに含まれるオンオフ情報に応じて、グロッサ８０をオンまたはオフに制御する。
【００６７】
プリンタ機７０、グロッサ８０、低温定着機９０からなる印刷装置３０は、記録媒体を搬送する搬送路を備える。プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機９０の設けられている位置を、この順に搬送される。そして、これらの機器によって順次処理が行われて画像形成及び表面効果が付与された後に、図示を省略する搬送機構によって搬送路を搬送されて、印刷装置３０の外部へと排出される。
【００６８】
次に、クリアプロセッシング５６について、詳細を説明する。
【００６９】
図１１は、クリアプロセッシング５６の機能ブロック図である。クリアプロセッシング５６は、取得部５６Ａと、記憶部５６Ｂと、解析部５６Ｈと、抽出部５６Ｉと、変換テーブル生成部５６Ｃと、第２表面効果変換テーブル生成部５６Ｄと、第２光沢制御版データ生成部５６Ｅと、統合部５６Ｆと、クリアトナー版生成部５６Ｇと、を含む。変換テーブル生成部５６Ｃは、算出部５６Ｊと、決定部５６Ｋと、変換テーブル生成部５６Ｌと、を含む。
【００７０】
なお、取得部５６Ａ、変換テーブル生成部５６Ｃ、第２表面効果変換テーブル生成部５６Ｄ、第２光沢制御版データ生成部５６Ｅ、統合部５６Ｆ、クリアトナー版生成部５６Ｇ、解析部５６Ｈ、抽出部５６Ｉ、算出部５６Ｊ、決定部５６Ｋ、および変換テーブル生成部５６Ｌの一部またはすべては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００７１】
取得部５６Ａは、第１光沢制御版データと、クリア版データと、を取得する。具体的には、取得部５６Ａは、レンダリングエンジン５１から、８ビットの第１光沢制御版データと、８ビットのクリア版データと、を取得する。
【００７２】
８ビットの第１光沢制御版データは、上述したように、記録媒体に対する視覚的または触覚的な効果である表面効果の種類と、表面効果を付与する記録媒体における領域と、を特定するための光沢制御値を定めた画像データである。８ビットのクリア版データは、上述したように、表面効果以外の特色画像を特定する特色濃度値を定めた画像データである。
【００７３】
また、取得部５６Ａは、ｓｉ２部５４から、ガンマ補正された８ビットのＣＭＹＫの有色版データを取得する。
【００７４】
そして、取得部５６Ａは、これらのデータ（８ビットの第１光沢制御版データ、８ビットのクリア版データ、および、８ビットのＣＭＹＫの有色版データ）を、記憶部５６Ｂに記憶する。
【００７５】
記憶部５６Ｂは、各種データを記憶する。本実施の形態では、記憶部５６Ｂは、第１表面効果変換テーブルを記憶する。
【００７６】
第１表面効果変換テーブルは、光沢制御値と、表面効果の種類と、規定内容と、オンオフ情報と、を対応づけた情報である。規定内容とは、実行部（本実施の形態では、印刷装置３０）が特色トナーを用いて形成する画像の種類を示す情報である。規定内容は、例えば、タイル文字列を示す情報、タイル網模様を示す情報、ベタ画像を示す情報、などである。なお、規定内容は、これらに限定されない。
【００７７】
オンオフ情報は、グロッサ８０のオンまたはオフを示す情報である。
【００７８】
なお、第１表面効果変換テーブルは、これらのデータを対応づけたものであればよく、そのデータ形式はテーブルに限定されない。例えば、第１表面効果変換テーブルは、これらのデータを対応づけたデータベースであってもよい。
【００７９】
図１２は、第１表面効果変換テーブルのデータ形式の一例を示す図である。
【００８０】
図１２に示すように、第１表面効果変換テーブルは、光沢制御値と、表面効果の種類と、オンオフ情報と、規定内容と、を対応づけた情報である。本実施の形態では、規定内容として、プリンタ機７０で用いる規定内容（クリアトナー版１参照）と、低温定着機９０で用いる規定内容（クリアトナー版２参照）と、を含む場合を説明する。
【００８１】
オンオフ情報、および、規定内容は、印刷装置３０の制御情報に相当する。
【００８２】
ここで、画像処理システムの構成は、様々に異なり得るが、本実施の形態においては、プリンタ機７０に、後処理機としてグロッサ８０及び低温定着機９０が接続される構成である。このため、グロッサ８０のオン又はオフを示すオンオフ情報が、グロッサ８０に関する制御情報である。また、プリンタ機７０で用いる規定内容（クリアトナー版１参照）が、プリンタ機７０の制御情報である。また、低温定着機９０で用いる規定内容（クリアトナー版２参照）が、低温定着機９０の制御情報である。
【００８３】
図１２に示す例では、光沢制御値として、光沢制御値を８ビットで表される数値（０〜２５５）で表した時の画素値「６」毎の数値範囲と、各数値範囲の代表値と、代表値を０〜１００％のパーセント単位で表した値と、を示している。なお、パーセント単位で表した値は、光沢制御値「０」を「０％」とし、光沢制御値２５５を１００％としたときの、値である。
【００８４】
詳細には、図１２に示す例では、第１表面効果変換テーブルには、８ビットで表される光沢制御値（０〜２５５）の範囲毎（６ごと）に表面効果の各種類が対応付けられている。また、各光沢制御値の範囲の代表値から換算される光沢制御値の割合に対して、２％単位で表面効果の各種類が対応付けられている。光沢制御値をパーセント単位で示した値（光沢制御率とする）が８４％以上となる光沢制御値の範囲（「２１２」〜「２５５」）に対して、光沢を与える表面効果（鏡面光沢及びベタ光沢）が対応付けられており、光沢制御率が１６％以下となる光沢制御値の範囲（「１」〜「４３」）に対して光沢を抑える表面効果（網点マット及びつや消し）が対応付けられている。また、光沢制御率が２０％〜８０％となる光沢制御値の範囲には、テクスチャや地紋透かしなどの表面効果が対応付けられている。
【００８５】
より具体的には、例えば、「２３８」〜「２５５」の画素値に対しては表面効果として鏡面光沢（ＰＭ）が対応付けられており、このうち、「２３８」〜「２４２」の光沢制御値、「２４３」〜「２４７」の光沢制御値、および「２４８」〜「２５５」の光沢制御値の３つの範囲に対して各々異なるタイプの鏡面光沢が対応付けられている。また、「２１２」〜「２３２」の光沢制御値に対しては、ベタ光沢（Ｇ）が対応付けられており、このうち、「２１２」〜「２１６」の光沢制御値、「２１７」〜「２２１」の光沢制御値、「２２２」〜「２２７」の光沢制御値、および「２２８」〜「２３２」の光沢制御値の４つの範囲に対して各々異なるタイプのベタ光沢が対応付けられている。また、「２３」〜「４３」の光沢制御値に対しては、網点マット（Ｍ）が対応付けられており、このうち、「２３」〜「２８」の光沢制御値、「２９」〜「３３」の光沢制御値、「３４」〜「３８」の光沢制御値および「３９」〜「４３」の光沢制御値の４つの範囲に対して各々異なるタイプの網点マットが対応付けられている。また、「１」〜「１７」の光沢制御値に対しては、つや消し（ＰＭ）が対応付けられており、このうち、「１」〜「７」の光沢制御値、「８」〜「１２」の光沢制御値および「１３」〜「１７」の光沢制御値の３つの範囲に対して各々異なるタイプのつや消しが対応付けられている。これらの同一の表面効果の異なるタイプはプリンタ機７０や低温定着機９０で使用するクリアトナー版データを求める式に違いがあり、印刷装置３０の動作は同じである。なお、「０」の光沢制御値には、表面効果を与えないことが対応付けられている。
【００８６】
また、図１２に示す例は、第１表面効果変換テーブルには、光沢制御値および表面効果の種類に対応して、グロッサ８０のオン又はオフを示すオンオフ情報と、プリンタ機７０で用いる規定内容（クリアトナー版１参照）と、低温定着機９０で用いる規定内容（クリアトナー版２参照）と、が各々示されている。
【００８７】
例えば、表面効果の種類が鏡面光沢である場合、グロッサ８０をオンにすることが示されると共に、プリンタ機７０で用いるクリアトナー版データは、インバースマスクを表すものであり、低温定着機９０で用いるクリアトナー版データは、ないことが示されている。インバースマスクは、例えば、後述する式（１）により求められる。
【００８８】
ここで、インバースマスクとは、表面効果を与える対象の領域を構成する各画素上のＣＭＹＫの有色トナー及び特色トナーを合わせた総付着量が均一になるようにするためのものである。具体的には、ＣＭＹＫの８ビットの有色版データにおいて、対象領域を構成する画素の表す濃度値を全て加算し、その加算値を所定値から差し引いた画像データがインバースマスクとなる。
【００８９】
例えば、インバースマスクは以下の式（１）で表される。
【００９０】
Ｃｌｒ＝１００−（Ｃ＋Ｍ＋Ｙ＋Ｋ）  但し、Ｃｌｒ＜０となる場合、Ｃｌｒ＝０                                  ・・・式（１）
【００９１】
式（１）において、Ｃｌｒ，Ｃ，Ｍ，Ｙ，Ｋは、特色トナー及びＣ，Ｍ，Ｙ，Ｋの各有色トナーのそれぞれについて、各画素における濃度値から換算される濃度率を表すものである。
【００９２】
すなわち、式（１）によって、Ｃ，Ｍ，Ｙ，Ｋの各有色トナーの総付着量に特色トナーの付着量を加えた総付着量を、表面効果を与える対象の領域を構成する全ての画素について１００％にする。なお、Ｃ，Ｍ，Ｙ，Ｋの各有色トナーの総付着量が１００％以上である場合には、特色トナーは付着させずに、その濃度率は０％にする。これは、Ｃ，Ｍ，Ｙ，Ｋの各有色トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。ただし、インバースマスクには、式（１）以外により求められるものがあり、インバースマスクの種類は複数有り得る。
【００９３】
例えば、インバースマスクは、各画素に特色トナーを均一に付着させるものであってもよい。この場合のインバースマスクは、ベタマスクともいい、以下の式（２）で表される。
【００９４】
Ｃｌｒ＝１００・・・式（２）
【００９５】
式（２）、後述する式（３）、および式（４）において、Ｃｌｒは、特色トナーについて、各画素における濃度値から換算される濃度率を表すものである。
【００９６】
なお、表面効果を与える対象の画素の中でも、１００％以外の濃度率が対応付けられるものがあるようにしても良く、ベタマスクのパターンは複数有り得る。
【００９７】
また、例えばインバースマスクは、各色の地肌露出率の乗算により求められるものであってもよい。この場合のインバースマスクは、例えば以下の式（３）で表される。
【００９８】
Ｃｌｒ＝１００×｛（１００−Ｃ）／１００｝×｛（１００−Ｍ）／１００｝×｛（１００−Ｙ）／１００｝×｛（１００−Ｋ）／１００｝・・・式（３）
【００９９】
上記式（３）において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０１００】
また、例えばインバースマスクは、最大面積率の網点が平滑性を律すると仮定した方法により求められるものであってもよい。この場合のインバースマスクは、例えば以下の式（４）で表される。
【０１０１】
Ｃｌｒ＝１００−ｍａｘ（Ｃ，Ｍ，Ｙ，Ｋ）・・・式（４）
【０１０２】
上記式（４）において、ｍａｘ（Ｃ，Ｍ，Ｙ，Ｋ）は、ＣＭＹＫのうち最大の濃度値を示す色の濃度値が代表値となることを示す。
【０１０３】
すなわち、インバースマスクは、上記式（１）〜式（４）の何れかの式により表されるものであればよい。
【０１０４】
図１２に戻り、また、光沢制御値が「２２８」〜「２３２」であり表面効果の種類がベタ光沢である場合、グロッサ８０をオフにすることが示されると共に、プリンタ機７０で用いるクリアトナー版データ（クリアトナー版１）は、インバースマスク１であり、低温定着機９０で用いるクリアトナー版データ（クリアトナー版２）は、ないことが示されている。
【０１０５】
なお、インバースマスク１は、上記式（１）〜式（４）の何れかの式により表されるものであればよい。グロッサ８０がオフなので平滑化されるトナーの総付着量が異なるため、鏡面光沢により表面の凹凸が増え、その結果、鏡面光沢により光沢度が低いベタ光沢が得られるためである。また、表面効果の種類が網点マットである場合、グロッサ８０をオフにすることが示されていると共に、プリンタ機７０で用いるクリアトナー版データ（クリアトナー版１）は、ハーフトーン（網点）を表すものであり、低温定着機９０で用いるクリアトナー版データ（クリアトナー版２）は、ないことが示されている。また、表面効果の種類がつや消しである場合、グロッサ８０をオン又はオフのいずれにしても良いことが示されていると共に、プリンタ機７０で用いるクリアトナー版データ（クリアトナー版１）は、なく、低温定着機９０で用いるクリアトナー版データ（クリアトナー版２）は、ベタマスクを表すものであることが示されている。当該ベタマスクは、例えば上述の式（２）により求められる。
【０１０６】
図１１に戻り、解析部５６Ｈは、取得部５６Ａで取得した、８ビットの第１光沢制御版データを解析し、各画素の光沢制御値を読取る。
【０１０７】
抽出部５６Ｉは、解析結果に応じて、８ビットの第１光沢制御版データにおける不使用の光沢制御値を抽出する。
【０１０８】
なお、抽出部５６Ｉは、８ビットの第１光沢制御版データにおける不使用の光沢制御値と、第１表面効果変換テーブルにおける表面効果の種類および規定内容の対応づけられていない光沢制御値と、を抽出することが好ましい。これらの光沢制御値を抽出することで、より細かな光沢制御値の設定された、後述する第２光沢制御版データを生成することができる。
【０１０９】
以下では、一例として、抽出部５６Ｉは、８ビットの第１光沢制御版データにおける不使用の光沢制御値と、第１表面効果変換テーブルにおける表面効果の種類および規定内容の対応づけられていない光沢制御値と、を抽出する場合を説明する。
【０１１０】
抽出部５６Ｉは、解析結果に応じて、８ビットの第１光沢制御版データにおいて光沢制御値として取り得る値である０〜２５５の値の内、該第１光沢制御版データにおける各画素の光沢制御値として用いられていない値を抽出する。また、抽出部５６Ｉは、記憶部５６Ｂに記憶されている第１表面効果変換テーブルにおける、表面効果の種類および規定内容の対応づけられていない光沢制御値を抽出する。
【０１１１】
例えば、図１２に示す第１表面効果変換テーブルが記憶部５６Ｂに格納されていたとする。図１２に示す例では、第１表面効果変換テーブルにおける、光沢制御値１５７〜２０６の数値範囲（代表値１５９〜２０４、光沢制御率７１％〜８０％）には、表面効果の種類やクリアトナー版データの規定内容が対応づけられていない（図１２中、四角枠Ａ内参照）。また、取得部５６Ａが取得した第１光沢制御版データには、光沢制御値「１」〜「２５５」（光沢制御率１％〜１００％）については規定されており、光沢制御値「０」（光沢制御率０％）については規定がされていなかったとする。
【０１１２】
この場合、抽出部５６Ｉは、光沢制御値“０”（光沢制御率で表すと０％）と、光沢制御値“１５７〜２０６”（代表値で表すと“１５９〜２０４”、光沢制御率で表すと７１％〜８０％）を、抽出する。
【０１１３】
図１１に戻り、変換テーブル生成部変換テーブル生成部５６Ｃは、取得部５６Ａで取得した８ビットの第１光沢制御版データと、取得部５６Ａで取得した８ビットのクリア版データと、を用いて、変換テーブルを生成する。
【０１１４】
変換テーブルは、抽出部５６Ｉ変換テーブル生成部が第１光沢制御版データから抽出した光沢制御値と、クリア版データにおける特色画像を特定するための特色濃度値と、の対応を定めた情報である。言い換えると、変換テーブルは、クリア版データに規定された特色濃度値を、光沢制御値に変換するためのテーブルである。
【０１１５】
変換テーブル生成部５６Ｃは、算出部５６Ｊと、決定部５６Ｋと、変換テーブル生成部５６Ｌと、を含む。
【０１１６】
算出部５６Ｊは、抽出部５６Ｉで抽出した光沢制御値の制御値数（以下、制御値数Ｎ（Ｎは、１以上の整数）と称する）を算出する。制御値数は、抽出された光沢制御値の数を示す。本実施の形態では、抽出された光沢制御値に、連続する値が含まれる場合、該連続する値の範囲を、予め定めた数値範囲毎に区切る。
【０１１７】
例えば、算出部５６Ｊは、該連続する値の範囲を任意の数に区切る。なお、各区切った後の各範囲には、少なくとも１つの光沢制御値（整数）をあてはめるものとする。そして、算出部５６Ｊは、区切り後の範囲の数と、不連続の光沢制御値の数と、の合計値を、制御値数Ｎとして算出する。
【０１１８】
例えば、抽出部５６Ｉが、光沢制御値“０”（光沢制御率で表すと０％）と、光沢制御値“１５７〜２０６”（代表値で表すと“１５９〜２０４”、光沢制御率で表すと７１％〜８０％）を、抽出したとする。この場合、算出部５６Ｊは、光沢制御値の光沢制御率（７１％から８０％）を１％毎に区切ったときの区切後の数「１０」と、光沢制御値“０”の数「１」と、の合計値である「１１」を、光沢制御値の制御値数Ｎとして算出する。
【０１１９】
決定部５６Ｋは、取得部５６Ａで取得した８ビットのクリア版データによって規定される特色濃度値から、算出部５６Ｊで算出された制御値数Ｎの特色濃度代表値を決定する。
【０１２０】
図１３は、特色濃度代表値の決定の説明図である。
【０１２１】
決定部５６Ｋは、取得部５６Ａで取得した８ビットのクリア版データにおける、各画素の特色濃度値の出現頻度を示す頻度分布を生成する。
【０１２２】
図１３（Ａ）は、頻度分布の一例を示す図である。例えば、図１３（Ａ）に示すように、決定部５６Ｋは、８ビットのクリア版データに示される各画素の特色濃度値（図１３（Ａ）では、特色濃度率（％）で示した）と、該クリア版データにおける、各特色濃度値の出現頻度と、の関係を示す頻度分布を生成する。
【０１２３】
そして、決定部５６Ｋは、頻度分布に予め定めた特徴があるか否かを判断する。この特徴は、任意の特徴を予め設定すればよい。例えば、決定部５６Ｋは、頻度分布の特徴として、頻度分布によって示される、最も高い出現頻度に対する最も低い出現頻度の割合が、５０％以下である場合、特徴があると判断する。なお、特徴があるとみなす判断条件は、任意の条件を定めることができ、割合が５０％以下に限定されない。
【０１２４】
まず、頻度分布に予め定めた特徴がある場合を説明する。決定部５６Ｋは、頻度分布に予め定めた特徴がある場合、取得部５６Ａで取得した８ビットのクリア版データによって規定される特色濃度値の内、出現頻度の高い方から順に、制御値数Ｎの特色濃度値を選択する。そして、決定部５６Ｋは、選択した制御値数Ｎ個の特色濃度値を、特色濃度代表値として決定する。
【０１２５】
これは、出現頻度の高い特色濃度値であるほど、階調が潰れないよう保持する必要があるためである。このため、決定部５６Ｋは、出現頻度の高い順に、制御値数Ｎの特色濃度値を、特色濃度代表値として決定する。
【０１２６】
例えば、図１３（Ａ）に示す頻度分布により、決定部５６Ｋが、頻度分布に特徴があると判断すると、頻度分布の高い順に制御値数Ｎ（例えば、１１個）の特色濃度値（例えば、０，１２，１６，４４，７２，７６，８０，８４，９６，９８，１００（いずれも特色濃度率（％）で表したもの）を決定する（図１３（Ｂ）参照）。
【０１２７】
次に、頻度分布に予め定めた特徴が無い場合を説明する。この場合、決定部５６Ｋは、頻度分布に予め定めた特徴が無い場合、取得部５６Ａで取得した８ビットのクリア版データによって規定される特色濃度値を、０以上制御値数Ｎ以下の範囲に量子化し、量子化後の特色濃度値を、特色濃度代表値として決定する。
【０１２８】
例えば、決定部５６Ｋは、頻度分布に予め定めた特徴が無い場合、該クリア版データによって規定される特色濃度値を入力値として、出力値が０以上制御値数Ｎ以下となるように、例えば、ステップサイズ「１」で量子化する（図１３（Ｃ）参照）。そして、決定部５６Ｋは、量子化後の特色濃度値（例えば、０〜制御値数Ｎ）を、特色濃度代表値として決定する（図１３（Ｄ）参照）。なお、ステップサイズは、「１」に限定されず、任意に調整すればよい。このため、この場合、特色濃度代表値の各々は、０〜制御値数Ｎで表される整数となる。
【０１２９】
図１１に戻り、変換テーブル生成部５６Ｌは、算出部５６Ｊで算出された制御値数Ｎの光沢制御値の各々に、決定部５６Ｋで決定した特色濃度代表値の各々を対応づけた、変換テーブルを生成する。これによって、変換テーブルには、クリア版データに定められた特色濃度値が、特色濃度代表値として登録された状態となる。すなわち、変換テーブルでは、特色濃度値を、特色濃度代表値として扱う。そして、変換テーブル生成部５６Ｌは、生成した変換テーブルを、記憶部５６Ｂに記憶する。
【０１３０】
図１４は、変換テーブルのデータ構造の一例を示す図である。
【０１３１】
上述したように、変換テーブルは、光沢制御値と、特色濃度代表値と、を対応づけたテーブルである。なお、図１４に示す例では、光沢制御値、および、特色濃度代表値の各々を、パーセント単位で表した不使用制御率、特色濃度率を示した。なお、変換テーブルには、光沢制御値および特色濃度代表値の各々（０〜２５５の値で表される）で示してもよい。
【０１３２】
変換テーブル生成部５６Ｌは、抽出部５６Ｉで抽出された、制御値数Ｎの光沢制御値を変換テーブルに登録する。図１４には、一例として、変換テーブル生成部５６Ｌが、０％、７１％〜８０％の、制御値数Ｎに相当する合計１１個の光沢制御値を変換テーブルに登録した例を示した。
【０１３３】
また、変換テーブル生成部５６Ｌは、各光沢制御値の各々に、決定部５６Ｋで決定された特色濃度代表値の各々を、光沢制御値に対して１対１で対応づけて、変換テーブルに登録する。
【０１３４】
このようにして、変換テーブル生成部５６Ｃは、変換テーブルを生成する。
【０１３５】
図１１に戻り、第２表面効果変換テーブル生成部５６Ｄは、変換テーブルにおける特色濃度代表値によって特定される特色画像に応じた規定内容を、変換テーブルにおける光沢制御値に対応づけて第１表面効果変換テーブルに登録する。また、第２表面効果変換テーブル生成部５６Ｄは、該光沢制御値に対応する前記表面効果の種類として、クリアトナー版データ用であることを示す識別情報（例えば、「クリア変換用」を示す文字情報）を第１表面効果変換テーブルに登録する。これによって、第２表面効果変換テーブル生成部５６Ｄは、第１表面効果変換テーブルから、第２表面効果変換テーブルを生成する。
【０１３６】
詳細には、第２表面効果変換テーブル生成部５６Ｄは、決定部５６Ｋによる頻度分布の特徴の有無の判断結果に応じて、規定内容を登録する。
【０１３７】
まず、頻度分布に予め定めた特徴が有る場合を説明する。この場合、第２表面効果変換テーブル生成部５６Ｄは、変換テーブルにおける光沢制御値を読取る。そして、第２表面効果変換テーブル生成部５６Ｄは、読取った光沢制御値に対応する特色濃度代表値を変換テーブルから読取る。第２表面効果変換テーブル生成部５６は、読取った該特色濃度代表値を特色濃度値として用いて、該特色濃度値に対応する規定内容を特定する。特色濃度値に対応する規定内容は、例えば、ハーフトーン０％、１２％〜１００％などの網点画像を示す情報である。
【０１３８】
なお、特色濃度値に対応する規定内容は、予め記憶部５６Ｂに記憶しておけばよい。具体的には、特色濃度値に対応づけて、規定内容（例えば、ハーフトーン０％、１２％〜１００％の各々の網点画像を示す情報）を、予め記憶部５６Ｂに記憶しておけばよい。
【０１３９】
そして、第２表面効果変換テーブル生成部５６Ｄは、第１表面効果変換テーブルのコピーを作成する。そして、第２表面効果変換テーブル生成部５６Ｄは、作成した第１表面効果変換テーブルにおける、読取った光沢制御値の各々に対応する規定内容の欄に、規定内容を登録する。このとき、第２表面効果変換テーブル生成部５６Ｄは、該光沢制御値と同じ値の特色濃度値に対応する、特定した規定内容を登録する。これにより、第２表面効果変換テーブル生成部５６Ｄは、第２表面効果変換テーブルを生成する。
【０１４０】
例えば、決定部５６Ｋが、図１３（Ｂ）に示す、０，１２，１６，１８，４４，７２，７６，８０，８４，９６，１００の特色濃度値を、特色濃度代表値として決定したとする。この場合、図１４に示すように、変換テーブルには、０，１２，１６，１８，４４，７２，７６，８０，８４，９６，１００の特色濃度代表値が登録される。
【０１４１】
この場合、第２表面効果変換テーブル生成部５６Ｄは、変換テーブルにおける光沢制御値に対応する特色濃度代表値（０，１２，１６，１８，４４，７２，７６，８０，８４，９６，１００）の各々に対応する網点画像を示す情報を、規定内容として、第１表面効果変換テーブルに登録する。これによって、第２表面効果変換テーブル生成部５６Ｄは、第１表面効果変換テーブルから、第２表面効果変換テーブルを生成する。
【０１４２】
そして、第２表面効果変換テーブル生成部５６Ｄは、生成した第２表面効果変換テーブルを、記憶部５６Ｂに記憶する。このため、記憶部５６Ｂには、第１表面効果変換テーブルと、新たに生成された第２表面効果変換テーブルと、が記憶された状態となる。
【０１４３】
図１５は、図１２に示す第１表面効果変換テーブルから生成された、第２表面効果変換テーブルの一例を示す図である。
【０１４４】
例えば、第２表面効果変換テーブル生成部５６Ｄは、図１２に示す第１表面効果変換テーブルにおける、上記光沢制御値（光沢制御率０％（図１２中、四角枠Ｂ内参照），７１〜８０％（図１２中、四角枠Ａ内参照））の各々の光沢制御値に対応する表面効果の種類として、識別情報「クリア版変換用」を登録すると共に、該光沢制御値に対応する規定内容として、ハーフトーン０％、１２％〜１００％の各々の網点画像を示す情報を登録する。これにより、第２表面効果変換テーブル生成部５６Ｄは、図１５に示す第２表面効果変換テーブルを生成する。
【０１４５】
このため、第２表面効果変換テーブルは、第１光沢制御版データに示される光沢制御値と、表面効果の種類と、規定内容と、を対応づけたテーブルとなる。また、第２表面効果変換テーブルは、クリア版データに示される特色濃度値を変換テーブルによって変換した光沢制御値と、表面効果の種類と、規定内容と、を対応づけたテーブルとなる。
【０１４６】
次に、頻度分布に予め定めた特徴が無い場合を説明する。この場合、第２表面効果変換テーブル生成部５６Ｄは、変換テーブルにおける光沢制御値に対応する規定内容として、変換テーブルにおける光沢制御値に対応する、量子化前の特色濃度値の網点画像を示す情報を第１表面効果変換テーブルに登録し、第２表面効果変換テーブルを生成する。
【０１４７】
例えば、決定部５６Ｋが、頻度分布に特徴が無いと判断し、図１３（Ｄ）に示すように、クリア版データによって規定される特色濃度値を、０以上制御値数Ｎ以下の範囲に量子化し、量子化後の特色濃度値を、特色濃度代表値として決定したとする。
【０１４８】
この場合、第２表面効果変換テーブル生成部５６Ｄは、量子化前の特色濃度値の網点画像を示す情報を、第１表面効果変換テーブルに規定内容として第１表面効果変換テーブルに登録し、第２表面効果変換テーブルを生成する。そして、第２表面効果変換テーブル生成部５６Ｄは、生成した第２表面効果変換テーブルを、記憶部５６Ｂに記憶する。
【０１４９】
図１１に戻り、第２光沢制御版データ生成部５６Ｅは、取得部５６Ａで取得した、８ビットのクリア版データにおける特色濃度値を、変換テーブルにおける対応する光沢制御値に変換した第２光沢制御版データを生成する。
【０１５０】
ここで、上述したように、抽出部５６Ｉが抽出した光沢制御値は、第１光沢制御版データにおける不使用の光沢制御値である。また、上述したように、抽出部５６Ｉが抽出した光沢制御値は、第１表面効果変換テーブルにおける、表面効果の種類および規定内容の対応づけられていない光沢制御値である。このため、第２光沢制御版データ生成部特色画像の特色濃度値を定めたクリア版データは、第２光沢制御版データ生成部５６Ｅによって、光沢制御値を定めた第２光沢制御版データに変換される。
【０１５１】
統合部５６Ｆは、取得部５６Ａで取得した第１光沢制御版データと、第２光沢制御版データと、を統合した第３光沢制御版データを生成する。
【０１５２】
詳細には、統合部５６Ｆは、第１光沢制御版データにおける各画素と、第２光沢制御版データにおける各画素と、について、同じ画素位置の画素ごとに、光沢制御値の設定されている版（第１光沢制御版データまたは第２光沢制御版データ）の画素値を採用することで、第３光沢制御版データを生成する。
【０１５３】
なお、光沢制御値が設定されている、とは、光沢制御値が１以上である場合を示す。なお、同じ画素位置の画素について、第１光沢制御版データと第２光沢制御版データとの双方に画素値が設定されている場合には、予め設定された優先設定に応じた版（第１光沢制御版データまたは第２光沢制御版データ）の光沢制御値を採用すればよい。
【０１５４】
なお、この優先設定は、第１光沢制御版データを優先するか、第２光沢制御版データを優先するか、を示す情報である。優先設定は、予め、ユーザによる図示を省略する入力部の操作指示によって入力され、記憶部５６Ｂに記憶すればよい。また、ホスト装置１０における印刷データの生成時に、第１光沢制御版データおよびクリア版データの何れを優先とするかの入力を、ユーザによって操作される入力部（図示省略）から受け付けてもよい。この場合、ホスト装置１０は、第１光沢制御版データを優先とする入力を受け付けた場合には、第１光沢制御版データを優先とする優先設定を生成し、クリア版データを優先とする入力を受け付けた場合には、第２光沢制御版データを優先とする優先設定を生成し、印刷データに含めてＤＦＥ５０に出力すればよい。ＤＦＥ５０では、印刷データに含まれる優先設定を読取ることで、何れの版を優先とするかを判断すればよい。
【０１５５】
クリアトナー版生成部５６Ｇは、第２表面効果変換テーブル生成部５６Ｄで生成された第２表面効果変換テーブルおよび統合部５６Ｆで生成された第３光沢制御版データに基づいて、クリアトナー版データを生成する。
【０１５６】
詳細には、クリアトナー版生成部５６Ｇは、第２表面効果変換テーブル（例えば、図１５参照）を参照し、第３光沢制御版データを構成する各画素の光沢制御値に対応する表面効果の種類と、オンオフ情報と、規定内容と、を読取る。
【０１５７】
そして、クリアトナー版生成部５６Ｇは、読取結果に応じて、グロッサ８０のオンオフを決定すると共に、ガンマ補正されたＣＭＹＫの８ビットの有色版データを用いてインバースマスクやベタマスクなどを適宜生成することにより、特色トナーを付着させるための２ビットのクリアトナー版データを生成する。このとき、クリアトナー版生成部５６Ｇは、第２表面効果変換テーブルにおける、第３光沢制御版データの光沢制御値に対応する規定内容に応じて、プリンタ機７０で用いるクリアトナー版データ（クリアトナー版１）と、低温定着機９０で用いるクリアトナー版データ（クリアトナー版２）と、を適宜生成する。
【０１５８】
そして、クリアトナー版生成部５６Ｇは、生成した２ビットのクリアトナー版データと、決定したグロッサ８０のオンまたはオフを示すオンオフ情報と、をｓｉ３部５７へ出力する。ｓｉ３部５７（図９参照）の処理は、上述したため、ここでは記載を省略する。
【０１５９】
次に、本実施の形態に係るＤＦＥ５０が実行する画像処理の手順を説明する。図１６は、ＤＦＥ５０が実行する画像処理の手順を示すフローチャートである。
【０１６０】
まず、ＤＦＥ５０がホスト装置１０から印刷データを受信する（ステップＳ１００）。次に、レンダリングエンジン５１が、印刷データに含まれる有色版データについて、色変換やラスタ形式への変換などを行い、８ビットのＣＭＹＫの有色版データを生成する（ステップＳ１０２）。
【０１６１】
次に、レンダリングエンジン５１が、ステップＳ１００で受信した印刷データに含まれる第１光沢制御版データおよびクリア版データの各々をラスタ形式に変換し、８ビットの第１光沢制御版データおよび８ビットのクリア版データを生成する（ステップＳ１０４）。
【０１６２】
次に、ＴＲＣ５３が、ＣＭＹＫの各８ビットの有色版データに対してキャリブレーションにより生成された１Ｄ＿ＬＵＴのガンマカーブでガンマ補正を行い、ガンマ補正後のＣＭＹＫの各８ビットの有色版データを、ｓｉ２部５４を介してハーフトーンエンジン５５とクリアプロセッシング５６とに出力する。ハーフトーンエンジン５５はガンマ補正後の８ビットの有色版データに対して、ハーフトーン処理を行い、２ビットの有色版データを生成する（ステップＳ１０６）。
【０１６３】
次に、クリアプロセッシング５６が、ｓｉ２部５４から出力されたガンマ補正後のＣＭＹＫの各８ビットの有色版データと、ｓｉ１部５２から出力された８ビットのクリア版データおよび８ビットの第１光沢制御版データと、に応じて、特色トナーを付着させるための２ビットのクリアトナー版データを生成する（ステップＳ１０８）（詳細後述）。また、クリアプロセッシング５６は、グロッサ８０のオンオフ情報を生成する。
【０１６４】
次に、ｓｉ３部５７は、ハーフトーンエンジン５５から受け付けた、ＣＭＹＫの８ビットの有色版データと、クリアプロセッシング５６から受け付けた８ビットのクリアトナー版データと、グロッサ８０のオンオフ情報と、を含む出力データを、ＭＩＣ６０を介して印刷装置３０へ出力する（ステップＳ１１０）。そして、本ルーチンを終了する。
【０１６５】
次に、図１６のクリアトナー版データ生成処理（ステップＳ１０８）を説明する。
【０１６６】
図１７は、クリアプロセッシング５６が実行する画像処理（クリアトナー版生成処理）の手順を示すフローチャートである。
【０１６７】
まず、取得部５６Ａが、レンダリングエンジン５１から、８ビットの第１光沢制御版データと、８ビットのクリア版データと、を取得する。また、取得部５６Ａが、ｓｉ２部５４から、ガンマ補正された８ビットのＣＭＹＫの有色版データを取得する。そして、取得部５６Ａは、これらのデータ（８ビットの第１光沢制御版データ、８ビットのクリア版データ、および、８ビットのＣＭＹＫの有色版データ）を、記憶部５６Ｂに記憶する（ステップＳ２００）。
【０１６８】
次に、解析部５６Ｈが、取得部５６Ａで取得した、８ビットの第１光沢制御版データを解析し、各画素の光沢制御値を読取る（ステップＳ２０２）。
【０１６９】
次に、抽出部５６Ｉが、ステップＳ２０２の解析結果に応じて、８ビットの第１光沢制御版データにおける不使用の光沢制御値を抽出する（ステップＳ２０４）。
【０１７０】
次に、算出部５６Ｊが、ステップＳ２０４で抽出された光沢制御値の制御値数Ｎを算出する（ステップＳ２０６）。
【０１７１】
次に、決定部５６Ｋが、取得部５６Ａで取得した８ビットのクリア版データにおける、各画素の特色濃度値の出現頻度を示す頻度分布を生成する。そして、決定部５６Ｋは、頻度分布に予め定めた特徴があるか否かを判断する（ステップＳ２０８）。
【０１７２】
ステップＳ２０８で肯定判断すると（ステップＳ２０８：Ｙｅｓ）（頻度分布に特徴あり）、ステップＳ２１０へ進む。ステップＳ２１０において、決定部５６Ｋは、取得部５６Ａで取得した８ビットのクリア版データに定められた特色濃度値の内、出現頻度の高い方から順に、ステップＳ２０６で算出した制御値数Ｎの特色濃度値を選び、特色濃度代表値として決定する（ステップＳ２１０）。そして、後述するステップＳ２１４へ進む。
【０１７３】
一方、ステップＳ２０８で否定判断すると（ステップＳ２０８：Ｎｏ）（頻度分布に特徴なし）、ステップＳ２１２へ進む。ステップＳ２１２において、決定部５６Ｋは、取得部５６Ａで取得した８ビットのクリア版データに定められた特色濃度値を、０以上制御値数Ｎ以下の範囲に量子化し、量子化後の特色濃度値を、特色濃度代表値として決定する（ステップＳ２１２）。そして、後述するステップＳ２１４へ進む。
【０１７４】
ステップＳ２１０、およびステップＳ２１２の処理によって、クリア版データから第２光沢制御版データを生成するときに生じる、クリア版データに示される特色濃度値の階調のつぶれを最小限に抑えることができる。
【０１７５】
ステップＳ２１４では、変換テーブル生成部５６Ｌが、算出部５６Ｊで算出された制御値数Ｎの、抽出部５６Ｉで抽出された光沢制御値の各々に、決定部５６Ｋで決定した特色濃度代表値の各々を対応づけた、変換テーブルを生成する（ステップＳ２１４）。そして、変換テーブル生成部５６Ｌは、生成した変換テーブルを、記憶部５６Ｂに記憶する。
【０１７６】
次に、第２表面効果変換テーブル生成部５６Ｄが、第２表面効果変換テーブルを生成する（ステップＳ２１６）。
【０１７７】
次に、第２光沢制御版データ生成部５６Ｅが、取得部５６Ａで取得した、８ビットのクリア版データにおける特色濃度値を、変換テーブルにおける対応する光沢制御値に変換することによって、第２光沢制御版データを生成する（ステップＳ２１８）。ステップＳ２１８の処理によって、画素毎に特色濃度値を定めたクリア版データは、画素毎に光沢制御値を定めた第２光沢制御版データに変換される。
【０１７８】
次に、統合部５６Ｆは、取得部５６Ａで取得した第１光沢制御版データと、ステップＳ２１８で生成された第２光沢制御版データと、を統合した第３光沢制御版データを生成する（ステップＳ２２０）。
【０１７９】
次に、統合部５６Ｆは、ステップＳ２２０で生成した第３光沢制御版データを、記憶部５６Ｂに記憶する（ステップＳ２２２）。
【０１８０】
次に、クリアトナー版生成部５６Ｇが、ステップＳ２１６で生成された第２表面効果変換テーブルに基づいて、クリアトナー版データを生成する（ステップＳ２２４）。そして、本ルーチンを終了する。
【０１８１】
以上説明したように、本実施の形態のＤＦＥ５０は、取得部５６Ａと、記憶部５６Ｂと、変換テーブル生成部５６Ｃと、第２表面効果変換テーブル生成部５６Ｄと、第２光沢制御版データ生成部５６Ｅと、統合部５６Ｆと、クリアトナー版生成部５６Ｇと、を備える。
【０１８２】
取得部５６Ａは、記録媒体に対する視覚的または触覚的な効果である表面効果の種類と表面効果を付与する記録媒体における領域とを特定するための光沢制御値を定めた第１光沢制御版データと、表面効果以外の特色画像を特定する特色濃度値を定めたクリア版データと、を取得する。
【０１８３】
記憶部５６Ｂは、光沢制御値と、表面効果の種類と、クリアトナー版データに基づいて記録媒体に特色トナーを付与する実行部（印刷装置３０）で用いるクリアトナー版データの規定内容と、を対応づけた第１表面効果変換テーブルを予め記憶する。
【０１８４】
抽出部５６Ｉは、変換テーブル生成部第１光沢制御版データにおける、不使用の光沢制御値を抽出する。変換テーブル生成部５６Ｃは、抽出した光沢制御値に対応する特色濃度値を定めた変換テーブルを生成する。第２表面効果変換テーブル生成部５６Ｄは、変換テーブルにおける特色濃度値によって特定される特色画像に応じた規定内容を、変換テーブルにおける光沢制御値に対応づけて第１表面効果変換テーブルに登録した、第２表面効果変換テーブルを生成する。
【０１８５】
第２光沢制御版データ生成部５６Ｅは、クリア版データにおける特色濃度値を、変換テーブルにおける対応する光沢制御値に変換した第２光沢制御版データを生成する。統合部５６Ｆは、第１光沢制御版データと第２光沢制御版データとを統合した第３光沢制御版データを生成する。
【０１８６】
クリアトナー版生成部５６Ｇは、第２表面効果変換テーブルおよび第３光沢制御版データに基づいて、クリアトナー版データを生成する。
【０１８７】
このように、本実施の形態のＤＦＥ５０では、第１光沢制御版データにおける、不使用の光沢制御値を抽出する。そして、ＤＦＥ５０では、クリア版データにおける特色濃度値と、抽出した光沢制御値と、を対応づけた変換テーブルを生成する。また、ＤＦＥ５０では、第１表面効果変換テーブルにおける光沢制御値の内、抽出部５６Ｉが抽出した光沢制御値を、クリア版データに対応する規定内容を登録するための領域として用いた、第２表面効果変換テーブルを生成する。
【０１８８】
そして、ＤＦＥ５０では、変換テーブルを用いて、特色画像の特色濃度値を定めたクリア版データを、特色濃度値を光沢制御値で表した、第２光沢制御版データに変換する。そして、ＤＦＥ５０は、第２光沢制御版データと、第１光沢制御版データと、を統合した第３光沢制御版データを用いて、クリアトナー版データを生成する。
【０１８９】
ここで、従来では、クリアトナー版データの生成時には、光沢制御版データとクリア版データの２種類の版（データ）を処理する必要があった。一方、本実施の形態のＤＦＥ５０では、１種類の版（第３光沢制御版データ）を用いて、クリアトナー版データを生成する。すなわち、本実施の形態のＤＦＥ５０では、第３光沢制御版データと、第２表面効果変換テーブルと、を用いて、クリアトナー版データを生成する。このため、２種類の版（クリア版データ、および第１光沢制御版データ）と、第１表面効果変換テーブルと、を用いてクリアトナー版データを生成する従来の方法に比べて、処理負荷の軽減を図ることができる。
【０１９０】
従って、本実施の形態のＤＦＥ５０では、クリアトナー版データの生成に係る処理負荷を軽減することができる、という効果を奏する。
【０１９１】
また、第２表面効果変換テーブルを用いてクリアトナー版データを生成することで、第１表面効果変換テーブルにおける、第１光沢制御版データで不使用の光沢制御値を、クリア版データ用に用いることができる。このため、クリアトナー版データの階調を表現するための濃度範囲を最大限に増やすことができる。
【０１９２】
また、本実施の形態のＤＦＥ５０では、第２表面効果変換テーブル生成部５６Ｄは、変換テーブルにおける特色濃度代表値（特色濃度値）の網点画像を示す情報を規定内容として、第１表面効果変換テーブルに登録し、第２表面効果変換テーブルを生成する。
【０１９３】
また、本実施の形態のＤＦＥ５０では、第２表面効果変換テーブル生成部５６Ｄは、変換テーブルにおける量子化前の特色濃度値の網点画像を示す情報を規定内容として、第１表面効果変換テーブルに登録し、第２表面効果変換テーブルを生成する。
【０１９４】
このため、本実施の形態のＤＦＥ５０では、上記効果に加えて、クリア版データで規定された特色画像のデザイン及び特色濃度値を損なうことなく、クリアトナー版データを生成する。
【０１９５】
また、本実施の形態のＤＦＥ５０では、抽出部５６Ｉが、第１光沢制御版データにおける不使用の光沢制御値と、第１表面効果変換テーブルにおける表面効果の種類および規定内容の対応づけられていない光沢制御値と、を抽出することができる。このため、本実施の形態のＤＦＥ５０では、第２光沢制御版データについて、変換元のクリア版データで示された特色濃度値をより忠実に反映させた第２光沢制御版データを生成することができる。このため、ＤＦＥ５０では、上記効果に加えて、更に、ユーザによって設定されたクリア版データの画質劣化を抑制することができる。
【０１９６】
なお、上記実施の形態では、記憶部５６Ｂは、第１表面効果変換テーブルと、変換テーブルと、第２表面効果変換テーブルと、クリアトナー版データと、を記憶する場合を説明した。しかし、記憶部５６Ｂは、第１表面効果変換テーブルを記憶すると共に、変換テーブル、第２表面効果変換テーブル、クリアトナー版データ、および、第２光沢制御版データの少なくとも１つを記憶すればよい。
【０１９７】
例えば、変換後の第２表面効果変換テーブルや、第２光沢制御版データや、クリアトナー版データなどを、記憶部５６Ｂに記憶することで、再印刷実行時などに、記憶部５６Ｂに格納されている、過去に生成されたこれらのデータ（第２表面効果変換テーブルや、第２光沢制御版データや、クリアトナー版データ）を用いて、上記処理を実行することができる。この場合、再印刷時の画像処理の短縮を図ることができる。
【０１９８】
なお、記憶部５６Ｂをホットフォルダとして用い、記憶部５６Ｂに上記各データが記憶（登録）されると、順次、図１６及び図１７に示す処理が実行されるように、ＤＦＥ５０を構成してもよい。
【０１９９】
この場合、図１１に示す各機能部（変換テーブル生成部５６Ｃ、第２表面効果変換テーブル生成部５６Ｄ、第２光沢制御版データ生成部５６Ｅ、統合部５６Ｆ、クリアトナー版生成部５６Ｇ）の各々で上記処理を実行する毎に、処理実行によって生成した上記各種データを記憶部５６Ｂに記憶する。そして、これらの各機能部では、記憶部５６Ｂに各機能部の各々で行う処理に用いるデータが格納されたか否かを監視し、記憶部５６Ｂに処理に必要なデータが格納されると、上記各機能部で実行する各々の処理を実行すればよい。
【０２００】
＜変形例１＞
なお、上記実施の形態１では、ＤＦＥ５０と、印刷装置３０と、を別体として構成した場合を説明した。しかし、ＤＦＥ５０と、印刷装置３０を構成する各機器（プリンタ機７０、グロッサ８０、および低温定着機９０の少なくとも１つ）と、を一体的に設けた構成としてもよい。
【０２０１】
図１８は、本変形例の画像処理システムの一例を示す模式図である。画像処理システムは、ホスト装置１０と、複合装置３０Ａと、を備えた構成である。ホスト装置１０と、複合装置３０Ａと、は信号やデータ授受可能に接続されている。複合装置３０Ａは、ＤＦＥ５０と、ＭＩＣ６０と、プリンタ機７０と、グロッサ８０と、低温定着機９０と、を含む。
【０２０２】
ホスト装置１０、ＤＦＥ５０、ＭＩＣ６０、及びプリンタ機７０の構成は、実施の形態１と同様である。
【０２０３】
このように、ＤＦＥ５０と、プリンタ機７０、グロッサ８０、および低温定着機９０の少なくとも１つと、を一体的に構成してもよい。
【０２０４】
（実施の形態２）
なお、実施の形態１における、一の装置で行っていた複数の処理のいずれかを、一の装置とネットワークを介して接続する１以上の他の装置で行う構成にしてもよい。
【０２０５】
その一例として、本実施の形態の画像処理システムでは、ＤＦＥの機能の一部を、ネットワーク上のサーバ装置上に実装している。
【０２０６】
図１９は、本実施の形態に係る画像処理システムの構成を例示する図である。図１９に示すように、本実施の形態の画像処理システムは、ホスト装置１０と、ＤＦＥ３０５０と、ＭＩＣ６０と、プリンタ機７０と、グロッサ８０と、低温定着機９０と、クラウド上のサーバ装置３０６０と、を備えている。ホスト装置１０、ＭＩＣ６０、プリンタ機７０、グロッサ８０、および低温定着機９０は、実施の形態１と同様である。
【０２０７】
本実施の形態では、ＤＦＥ３０５０がインターネット等のネットワークを介して、サーバ装置３０６０と接続された構成となっている。また、本実施の形態では、実施の形態１のＤＦＥ５０の、取得部５６Ａ、記憶部５６Ｂ、解析部５６Ｈ、抽出部５６Ｉ、変換テーブル生成部５６Ｃ、第２表面効果変換テーブル生成部５６Ｄ、第２光沢制御版データ生成部５６Ｅ、統合部５６Ｆ、およびクリアトナー版生成部５６Ｇを、サーバ装置３０６０に設けた構成となっている。
【０２０８】
すなわち、具体的には、本実施の形態では、ＤＦＥ３０５０がインターネット等のネットワーク（クラウド）を介して、単一のサーバ装置３０６０に接続し、サーバ装置３０６０で、クリアトナー版データの生成を行うように構成している。
【０２０９】
まず、サーバ装置３０６０について説明する。図２０は、本実施の形態にかかるサーバ装置３０６０の機能的構成を示すブロック図である。サーバ装置３０６０は、記憶部３０７０と、取得部３０６２と、変換テーブル生成部３０６３と、解析部３０６４と、抽出部３０６１と、第２表面効果変換テーブル生成部３０６６と、第２光沢制御版データ生成部３０６７と、統合部３０６８と、クリアトナー版生成部３０６９と、通信部３０６５と、を備える。
【０２１０】
記憶部３０７０は、ＨＤＤやメモリ等の記憶媒体である。記憶部３０７０は、実施の形態１の記憶部５６Ｂに相当する。
【０２１１】
通信部３０６５は、ＤＦＥ３０５０との間で各種データや要求の送受信を行う。より具体的には、通信部３０６５は、ＤＦＥ３０５０から、８ビットの第１光沢制御版データ、８ビットのクリア版データ、および、８ビットの有色版データを受信する。そして、通信部３０６５は、クリアトナー版生成部３０６９で生成された、クリアトナー版データおよびオンオフ情報を、ＤＦＥ３０５０へ出力する。取得部３０６２、変換テーブル生成部３０６３、解析部３０６４、抽出部３０６１、第２表面効果変換テーブル生成部３０６６、第２光沢制御版データ生成部３０６７、統合部３０６８、およびクリアトナー版生成部３０６９の各々は、取得部５６Ａ、変換テーブル生成部５６Ｃ、解析部５６Ｈ、抽出部５６Ｉ、第２表面効果変換テーブル生成部５６Ｄ、第２光沢制御版データ生成部５６Ｅ、統合部５６Ｆ、およびクリアトナー版生成部５６Ｇの各々に相当する。
【０２１２】
図２１は、ＤＦＥ３０５０の機能ブロック図である。
【０２１３】
ＤＦＥ３０５０は、レンダリングエンジン５１と、ｓｉ１部５２と、ＴＲＣ５３と、ｓｉ２部５４と、ハーフトーンエンジン５５と、ｓｉ３部５７と、を備える。ＤＦＥ３０５０は、クリアプロセッシング５６を備えず、クリアプロセッシング５６へ出力するデータをサーバ装置３０６０へ送信し、クリアプロセッシング５６から受け付けるデータをサーバ装置３０６０から受信する以外は、実施の形態１のＤＦＥ５０と同様である。
【０２１４】
ＤＦＥ３０５０のｓｉ１部５２は、８ビットの第１光沢制御版データと、８ビットのクリア版データと、をサーバ装置３０６０へ送信する。また、ＤＦＥ５０のｓｉ２部５４は、ガンマ補正された８ビットのＣＭＹＫの有色版データを、サーバ装置３０６０へ送信する。ＤＦＥ３０５０のｓｉ３部５７は、サーバ装置３０６０から、２ビットのクリアトナー版データと、オンオフ情報と、を受信する。そして、ｓｉ３部５７は、受信した２ビットのクリアトナー版データ、オンオフ情報、およびハーフトーンエンジン５５から受け付けたＣＭＹＫの２ビットの有色版データを含む出力データを、ＭＩＣ６０を介してプリンタ機７０へ出力する。
【０２１５】
次に、以上のように構成された本実施の形態に係る画像処理システムによる画像処理について説明する。図２２は、本実施の形態にかかる画像処理の全体の流れを示すシーケンス図である。
【０２１６】
まず、ＤＦＥ３０５０が印刷データを取得する（ステップＳ３００）。次に、ＤＦＥ３０５０がＣＭＹＫの８ビットの有色版データを生成する（ステップＳ３０２）。次に、ＤＦＥ３０５０が、８ビットのクリア版データと、８ビットの第１光沢制御版データと、を生成する（ステップＳ３０４）。
【０２１７】
次に、ＤＦＥ３０５０が、ＣＭＹＫの８ビットの有色版データと、８ビットのクリア版データと、８ビットの第１光沢制御版データと、をサーバ装置３０６０へ送信する（ステップＳ３０６）。
【０２１８】
次に、サーバ装置３０６０がクリアトナー版生成処理を実行する（ステップＳ３０８）。ステップＳ３０８の処理は、図１７に示す処理と同様である。
【０２１９】
ＤＦＥ３０５０は、ＣＭＹＫの８ビットの有色版データから、ＣＭＹＫの２ビットの有色版データを生成する（ステップＳ３１０）。
【０２２０】
次に、サーバ装置３０６０が、生成した２ビットのクリアトナー版データを、ＤＦＥ３０５０へ送信する（ステップＳ３１２）。次に、ＤＦＥ３０５０が、出力データを、ＭＩＣ６０を介して印刷装置３０へ出力する（ステップＳ３１４）。そして、本ルーチンを終了する。
【０２２１】
なお、ＭＩＣ６０、およびプリンタ機７０における処理については、実施の形態１と同様に行われる。
【０２２２】
このように本実施の形態では、クリアトナー版データの生成を、クラウド上のサーバ装置３０６０で行っているので、実施の形態１と同様の効果を奏する他、複数のＤＦＥ３０５０が存在する場合でも、出力データの生成を一括して行うことができ、管理者の便宜となる。
【０２２３】
＜変形例２＞
なお、上記変形例１では、クラウド上の単一のサーバ装置３０６０に、記憶部３０７０と、取得部３０６２と、変換テーブル生成部３０６３と、第２表面効果変換テーブル生成部３０６６と、第２光沢制御版データ生成部３０６７と、統合部３０６８と、クリアトナー版生成部３０６９と、通信部３０６５と、を設け、サーバ装置３０６０で、クリアトナー版データの生成処理を行うように構成したが、これに限定されるものではない。
【０２２４】
例えば、クラウド上に２以上のサーバ装置を設け、上記処理を、２以上のサーバ装置で分散させて実行するように構成してもよい。図２３は、クラウド上に２つのサーバ（第１サーバ装置３８６０と第２サーバ装置３８６１）を設けたネットワーク構成図である。図２３の例では、第１サーバ装置３８６０と第２サーバ装置３８６１とで、クリアトナー版データの生成処理を分散して行うように構成する。なお、各処理の各サーバ装置への分散の形態は限定されず、任意に行うことができる。
【０２２５】
すなわち、一の装置で行っていた複数の処理のいずれかを、一の装置とネットワークを介して接続する１以上の他の装置で行う構成にすることができる。
【０２２６】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０２２７】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０２２８】
また、本変形例では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０２２９】
上述した実施の形態および変形例のホスト装置１０、ＤＦＥ５０、３０５０、サーバ装置３０６０、第１サーバ装置３８６０、第２サーバ装置３８６１のハードウェア構成について説明する。
【０２３０】
図２４は、ホスト装置１０、ＤＦＥ５０、３０５０、サーバ装置３０６０、第１サーバ装置３８６０、第２サーバ装置３８６１のハードウェア構成図である。ホスト装置１０、ＤＦＥ５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０２３１】
上記実施の形態および変形例のホスト装置１０、ＤＦＥ５０、３０５０、サーバ装置３０６０、第１サーバ装置３８６０、第２サーバ装置３８６１で実行される画像処理（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２３２】
また、上記実施の形態および変形例のホスト装置１０、ＤＦＥ５０、３０５０、サーバ装置３０６０、第１サーバ装置３８６０、第２サーバ装置３８６１で実行される画像処理プログラムを、インターネット等のネットワークに接続されたコンピュータ上に格納し、ネットワーク経由でダウンロードさせることにより提供するように構成してもよい。また、上記実施の形態および変形例のホスト装置１０、ＤＦＥ５０、３０５０、サーバ装置３０６０、第１サーバ装置３８６０、第２サーバ装置３８６１で実行される画像処理プログラムをインターネット等のネットワーク経由で提供または配布するように構成してもよい。
【０２３３】
また、上記実施の形態および変形例のホスト装置１０、ＤＦＥ５０、３０５０、サーバ装置３０６０、第１サーバ装置３８６０、第２サーバ装置３８６１で実行される画像処理プログラムを、ＲＯＭ等に予め組み込んで提供するように構成してもよい。
【０２３４】
なお、本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【０２３５】
なお、上述した実施の形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０２３６】
５０、３０５０  ＤＦＥ
５６  クリアプロセッシング
５６Ａ  取得部
５６Ｂ  記憶部
５６Ｃ  変換テーブル生成部
５６Ｄ  第２表面効果変換テーブル生成部
５６Ｅ  第２光沢制御版データ生成部
５６Ｆ  統合部
５６Ｇ  クリアトナー版生成部
５６Ｈ  解析部
５６Ｉ  抽出部
５６Ｊ  算出部
５６Ｋ  決定部
５６Ｌ  変換テーブル生成部
【先行技術文献】
【特許文献】
【０２３７】
【特許文献１】特開２０１２−２１２１３１号公報
【図１】
2016042182.tif 000003
【図２】
2016042182.tif 000004
【図３】
2016042182.tif 000005
【図４】
2016042182.tif 000006
【図５】
2016042182.tif 000007
【図６】
2016042182.tif 000008
【図７】
2016042182.tif 000009
【図８】
2016042182.tif 000010
【図９】
2016042182.tif 000011
【図１０】
2016042182.tif 000012
【図１１】
2016042182.tif 000013
【図１２】
2016042182.tif 000014
【図１３】
2016042182.tif 000015
【図１４】
2016042182.tif 000016
【図１５】
2016042182.tif 000017
【図１６】
2016042182.tif 000018
【図１７】
2016042182.tif 000019
【図１８】
2016042182.tif 000020
【図１９】
2016042182.tif 000021
【図２０】
2016042182.tif 000022
【図２１】
2016042182.tif 000023
【図２２】
2016042182.tif 000024
【図２３】
2016042182.tif 000025
【図２４】
2016042182.tif 000026